(57)【要約】【課題】設置されているアクセスポイント１６のＳＳＩＤを記憶することなく、通信端末１８が所属すべきアクセスポイント１６に対応するＳＳＩＤを算出することができる無線ＬＡＮシステム１０を提供する。【解決手段】複数のアクセスポイント１６および通信端末１８を備える無線ＬＡＮシステム１０であって、アクセスポイント１６は、予め定められた規則に基づいて、値の異なる複数のＳＳＩＤを算出するＳＳＩＤ算出部１８２と、算出された複数のＳＳＩＤのそれぞれに対応する所属要求を、最寄りのアクセスポイント１６へ順次送信する所属試行部１８４と、順次送信された複数の所属要求のいずれかに応じて、アクセスポイント１６が返信した所属許可応答を受信した場合に、所属許可応答に対応するＳＳＩＤを用いて、アクセスポイント１６との間で通信フレームを送受信する通信フレーム送受信部１８６とを有する。【選択図】図１
2006100970.tif 000002
【特許請求の範囲】
【請求項１】
無線ＬＡＮで規定されるプロトコルに基づいて通信を行う通信端末であって、
予め定められた規則に基づいて、前記通信端末がアクセスポイントに所属するための条件の一つである識別情報を複数算出する識別情報算出部と、
前記識別情報算出部が算出した複数の前記識別情報のそれぞれを含む所属要求を、前記アクセスポイントへ順次送信する所属要求送信部と、
前記所属要求送信部が送信した複数の前記所属要求のいずれかに応じて、前記アクセスポイントから所属許可応答を受信した場合に、前記所属許可応答を送信した前記アクセスポイントとの間で通信フレームを送受信するデータ通信部と
を備えることを特徴とする通信端末。
【請求項２】
請求項１に記載の通信端末であって、
前記識別情報算出部は、
複数の前記アクセスポイントのそれぞれに割り当てられる前記識別情報の数よりも多い数の前記識別情報を算出することを特徴とする通信端末。
【請求項３】
請求項１または２に記載の通信端末であって、
前記識別情報は、ＳＳＩＤ（Ｓｅｒｖｉｃｅ  Ｓｅｔ  ＩＤ）であることを特徴とする通信端末。
【請求項４】
複数のアクセスポイントと無線ＬＡＮで規定されるプロトコルを用いて前記複数のアクセスポイントのいずれかとの間で通信を行う通信端末とを備える無線ＬＡＮシステムであって、
前記複数のアクセスポイントは、
１以上の前記アクセスポイントを含む複数のグループに分けられ、前記複数のグループのそれぞれには、前記通信端末がアクセスポイントに所属するための条件の一つである識別情報であって、値の異なる前記識別情報が割り当てられており、
前記通信端末は、
予め定められた規則に基づいて、値の異なる複数の前記識別情報を算出する識別情報算出部と、
前記識別情報算出部が算出した複数の前記識別情報のそれぞれを含む所属要求を、最寄りの前記アクセスポイントへ順次送信する所属要求送信部と、
前記所属要求送信部が送信した複数の前記所属要求のいずれかに応じて、前記アクセスポイントから所属許可応答を受信した場合に、前記所属許可応答を送信した前記アクセスポイントとの間で通信フレームを送受信するデータ通信部と
を有することを特徴とする無線ＬＡＮシステム。
【請求項５】
無線ＬＡＮで規定されるプロトコルに基づいて通信を行う通信端末における通信方法であって、
予め定められた規則に基づいて、前記通信端末がアクセスポイントに所属するための条件の一つである識別情報を複数算出するステップと、
算出された複数の前記識別情報のそれぞれを含む所属要求を、最寄りの前記アクセスポイントへ順次送信するステップと、
複数の前記所属要求のいずれかに応じて、前記アクセスポイントから所属許可応答を受信した場合に、前記所属許可応答を送信した前記アクセスポイントとの間で通信フレームを送受信するステップと
を行うことを特徴とする通信方法。
【発明の詳細な説明】
【技術分野】
【０００１】
本発明は、無線ＬＡＮの規格に基づいて通信を行う技術に関する。
【背景技術】
【０００２】
無線ＬＡＮシステムにおいて、通信端末がアクセスポイントを経由して通信を行う場合、通信端末はＳＳＩＤ（Ｓｅｒｖｉｃｅ  Ｓｅｔ  ＩＤ）と呼ばれる識別情報を指定してアクセスポイントを特定し、無線ＬＡＮシステムに参加する。このＳＳＩＤは、無線ＬＡＮシステムに参加するための識別情報であり、アクセスポイントは、自身が使用しているＳＳＩＤと同一のＳＳＩＤを設定していることを条件の一つとして、通信端末の当該アクセスポイントを介した無線ＬＡＮシステムへの参加を許可する。
【０００３】
また、無線ＬＡＮシステムにおいて、少なくとも１のアクセスポイントを有する複数のグループを設定し、それぞれのグループ毎に異なるＳＳＩＤを割り当て、通信端末には、特定のグループのＳＳＩＤと同一のＳＳＩＤを設定することにより、特定のグループにのみ当該通信端末を所属させることが可能となる。これにより、例えばそれぞれの部署毎に所属させる通信端末を限定することができる。さらに、設備管理者や幹部等が使用する端末には、複数の部署に対応する複数のＳＳＩＤを格納しておき、格納された複数のＳＳＩＤを切り替えることにより、複数の部署にまたがる通信が可能となるようにすることもできる（例えば、特許文献１参照。）。
【０００４】
【特許文献１】特開２００４−７１２０号
【発明の開示】
【発明が解決しようとする課題】
【０００５】
しかし、上記のように複数のグループに対応する複数のＳＳＩＤを通信端末に設定すると、グループ数が多い場合や所属させるグループを新たに追加する場合等に、それぞれの端末について所属させるグループのＳＳＩＤを登録する必要があり、時間と手間がかかる場合があった。
【０００６】
そこで本発明は、上記の課題を解決することのできる無線ＬＡＮシステム、通信端末、および通信方法を提供することを目的とする。例えば、通信端末に、複数のグループに対応する識別情報を個別に登録する必要がないようにする。
【課題を解決するための手段】
【０００７】
上記課題を解決するために、本発明の通信端末は、予め定められた規則に基づいて、アクセスポイントに所属するための条件の一つである識別情報を複数算出し、算出した複数の識別情報のそれぞれを用いてアクセスポイントとの通信を試みる。
【０００８】
例えば、無線ＬＡＮで規定されるプロトコルに基づいて通信を行う通信端末であって、予め定められた規則に基づいて、通信端末がアクセスポイントに所属するための条件の一つである識別情報を複数算出する識別情報算出部と、識別情報算出部が算出した複数の識別情報のそれぞれを含む所属要求を、アクセスポイントへ順次送信する所属要求送信部と、所属要求送信部が送信した複数の所属要求のいずれかに応じて、アクセスポイントから所属許可応答を受信した場合に、所属許可応答を送信したアクセスポイントとの間で通信フレームを送受信するデータ通信部とを備えることを特徴とする通信端末を提供する。
【発明の効果】
【０００９】
本発明によれば、ＳＳＩＤ等の複数の識別情報の値そのものを通信端末に格納するのではなく、算出規則を格納し、格納した算出規則から識別情報を生成するので、通信端末に格納するデータ量を小さくすることができる。さらに、新たなグループを設ける場合、識別情報算出部が算出する識別情報の値の範囲内で、設けた新たなグループに対応する新たな識別情報をアクセスポイント設定することにより、複数の通信端末のそれぞれは、それぞれに新たなグループに対応する識別情報を設定することなく、新たなグループに属するアクセスポイントとの通信を迅速に開始させることができる。
【発明を実施するための最良の形態】
【００１０】
以下、本発明の実施の形態について説明する。
【００１１】
図１は、本発明の第１実施形態に係る無線ＬＡＮシステム１０の構成を示す。無線ＬＡＮシステム１０は、ネットワーク１２、複数のアクセスポイント１６、および複数の通信端末１８を備える。複数の通信端末１８−１、１８−２、および１８−３のそれぞれは、ＩＰ（Ｉｎｔｅｒｎｅｔ  Ｐｒｏｔｏｃｏｌ）電話やＰＤＡ（Ｐｅｒｓｏｎａｌ  Ｄｉｇｉｔａｌ  Ａｓｓｉｓｔａｎｔ）、ＰＣ（Ｐｅｒｓｏｎａｌ  Ｃｏｍｐｕｔｅｒ）等であり、無線ＬＡＮに規定されるプロトコルに基づいて、アクセスポイント１６−１、１６−２、および１６−３のいずれかを介して通信可能な端末である。
【００１２】
アクセスポイント１６−１は、無線ＬＡＮに基づく通信を行うのに十分な強度の電波が届く範囲である通信エリア１４−１を有する。同様に、アクセスポイント１６−２および１６−３は、通信エリア１４−２および１４−３をそれぞれ有する。複数のアクセスポイント１６のそれぞれは、異なる場所に設けられており、それぞれの場所において、無線ＬＡＮに基づく通信を中継するサービスを提供する。本例において、アクセスポイント１６−１、１６−２、および１６−３のそれぞれには、ＳＳＩＤの値として、１３、２１、および２６がそれぞれ割り当てられている。複数のアクセスポイント１６のそれぞれは、社内ＬＡＮ等の有線ネットワークであるネットワーク１２を介して、互いに接続されている。
【００１３】
複数のアクセスポイント１６のそれぞれは、複数の通信端末１８のいずれかから所属要求を受け付けた場合に、当該所属要求に含まれるＳＳＩＤ値が自身に設定されているＳＳＩＤ値と同一であることを条件の一つとして、当該所属要求を送信した通信端末１８の所属を許可する。このように、異なる場所に設けられた複数のアクセスポイント１６に異なるＳＳＩＤ値を割り当てることにより、それぞれのアクセスポイント１６が有するＳＳＩＤ値と同一のＳＳＩＤ値を有する通信端末１８のみが、当該アクセスポイント１６が設けられた場所において無線ＬＡＮに基づく通信を行うというサービスの提供を受けることができる。
【００１４】
図２は、アクセスポイント１６の構成の一例を示すブロック図である。アクセスポイント１６は、所属制御部１６０および通信フレーム中継部１６２を備える。所属制御部１６０は、アクセスポイント１６に割り当てられたＳＳＩＤ値を記憶しており、通信端末１８から所属要求を受け付けた場合に、受け付けた所属要求に含まれるＳＳＩＤ値が、記憶しているＳＳＩＤ値と一致するか否かを判定する。そして、受け付けたＳＳＩＤ値と記憶しているＳＳＩＤ値とが一致した場合に、所属制御部１６０は、所属の許可を示す旨および無線ＬＡＮに基づく通信に必要なパラメータをＳＳＩＤ値が一致した通信端末１８に通知すると共に、ＳＳＩＤ値が一致した通信端末１８のＭＡＣアドレス等の端末識別情報を通信フレーム中継部１６２に通知する。通信フレーム中継部１６２は、所属制御部１６０から通知された端末識別情報を記憶し、通信端末１８から通信フレームを受信した場合に、受信した通信フレームに含まれる端末識別情報と、記憶している端末識別情報とを比較し、両者が一致する場合に、受信した通信フレームを中継する。
【００１５】
図３は、通信端末１８の構成の一例を示すブロック図である。通信端末１８は、算出規則格納部１８０、ＳＳＩＤ算出部１８２、所属試行部１８４、および通信フレーム送受信部１８６を備える。算出規則格納部１８０は、例えば、「初期値０、最大値３９、初期値から最大値までＳＳＩＤ値を１ずつ増やす」等のＳＳＩＤ値の算出規則を格納する。
【００１６】
ＳＳＩＤ算出部１８２は、算出規則格納部１８０に格納された算出規則に基づいて、複数のＳＳＩＤ値を算出する。所属試行部１８４は、ＳＳＩＤ算出部１８２が算出したＳＳＩＤ値のそれぞれに基づいて、最寄りのアクセスポイント１６へ所属要求を送信する。そして、送信した複数の所属要求のいずれかに応答して、アクセスポイント１６から所属許可および無線ＬＡＮに基づく通信に必要なパラメータを受信した場合に、受信した無線ＬＡＮのパラメータを通信フレーム送受信部１８６へ送る。通信フレーム送受信部１８６は、所属試行部１８４から受け取った無線ＬＡＮのパラメータに基づいて、アクセスポイント１６との間で無線ＬＡＮに規定されるプロトコルに基づいて通信フレームを送受信する。
【００１７】
図４は、アクセスポイント１６および通信端末１８の動作の一例を示すシーケンス図である。まず、所属試行部１８４は、ＳＳＩＤ算出部１８２が算出したＳＳＩＤ値のそれぞれに基づいて、最寄りのアクセスポイント１６に所属要求を順次送信する（Ｓ１００）。本例において、ＳＳＩＤ算出部１８２は、「初期値０、最大値３９、初期値から最大値までＳＳＩＤ値を１ずつ増やす」旨の算出規則に基づいて、０から３９までの４０個のＳＳＩＤ値を算出する。
【００１８】
次に、所属制御部１６０は、所属試行部１８４から順次受信した所属要求に対して、当該所属要求に含まれるＳＳＩＤ値を、自身が記憶しているＳＳＩＤ値と順次比較する。そして、受信した所属要求に含まれるＳＳＩＤ値と自身が記憶しているＳＳＩＤ値とが一致する場合、所属制御部１６０は、所属許可を示す旨および無線ＬＡＮに基づく通信に必要なパラメータを通信端末１８に送信すると共に、所属許可を送信した通信端末１８の識別情報を通信フレーム中継部１６２へ通知する（Ｓ１０２）。次に、通信フレーム送受信部１８６は、所属試行部１８４が受け取った無線ＬＡＮのパラメータに基づいて、通信フレーム中継部１６２との間で無線ＬＡＮに規定されるプロトコルに基づいて通信フレームを送受信する（Ｓ１０４）。
【００１９】
このように、通信端末１８は、格納された算出規則に基づいてＳＳＩＤ値を算出するので、複数のＳＳＩＤ値を予め通信端末１８内に格納しておく必要がない。そのため、通信端末１８が、値の異なる複数のＳＳＩＤのそれぞれに対応するアクセスポイント１６に所属可能である場合、通信端末１８に格納するデータ量を少なくすることができる。また、ＳＳＩＤ算出部１８２は、少ないデータ量で比較的多くのＳＳＩＤ値を算出することができるので、実際にアクセスポイント１６に割り当てられているＳＳＩＤ値の種類よりも多い種類のＳＳＩＤ値を算出することができる。そのため、ＳＳＩＤ算出部１８２が算出するＳＳＩＤ値の種類の範囲内で、アクセスポイント１６に割り当てるＳＳＩＤ値の種類を増減させることで、算出規則格納部１８０に格納されている算出規則をそれぞれの通信端末１８について変更することなく、アクセスポイント１６に割り当てるＳＳＩＤ値の種類を増減させることができる。従って、通信端末１８は、ＳＳＩＤ値の種類が変更されたアクセスポイント１６との通信を迅速に開始することができる。
【００２０】
さらに、通信端末１８毎に異なる算出規則をそれぞれの通信端末１８の算出規則格納部１８０に格納することにより、複数のアクセスポイント１６に対するＳＳＩＤ値の割り当て環境が同一であっても、それぞれの通信端末１８が所属可能なアクセスポイント１６を制限することができる。例えば、一方の通信端末１８には、「初期値０、最大値１９、初期値から最大値までＳＳＩＤ値を１ずつ増やす」という算出規則を格納し、他方の通信端末１８には、「初期値２０、最大値３９、初期値から最大値までＳＳＩＤ値を１ずつ増やす」という算出規則を格納すると、図１に示したＳＳＩＤ値の割り当て環境において、一方の通信端末１８は、通信エリア１４−１内にある場合にアクセスポイント１６−１に所属することができるが、通信エリア１４−２や１４−３内にある場合には、アクセスポイント１６−２や１６−３に所属することはできない。同様に、他方の通信端末１８は、通信エリア１４−２や１４−３内にある場合にアクセスポイント１６−２や１６−３に所属することができるが、通信エリア１４−１内にある場合には、アクセスポイント１６−１に所属することができないようにすることができる。
【００２１】
なお、ステップ１０２において、通信端末１８は、算出したＳＳＩＤ値を全て送信した後に、アクセスポイント１６から所属許可の通知を受信しているが、本発明はこれに限られず、所属要求を送信する送信機と所属許可を示す旨等を受信する受信機とを所属試行部１８４に別々に設け、所属要求を送信しながら、同時に所属許可を受信可能とする構成としてもよい。この場合、所属許可を受信した段階で、所属試行部１８４は、所属要求の送信を停止してもよい。また、所属試行部１８４は、過去に所属許可の通知を受信したＳＳＩＤ値を記憶しておき、所属許可の通知を受信した回数の多いＳＳＩＤ値から順に所属要求を送信してもよい。これにより、所属処理がより迅速に終了する可能性が高まると共に、不要な所属要求の送信が減り、トラフィックの増加を抑えることができる。さらに、アクセスポイント１６毎に通信周波数が異なる場合、通信端末１８は、例えば、周波数を固定し、複数の所属要求をアクセスポイント１６へ全て送信し、最後に送信した所属要求に対するタイムアウトを検出してから、周波数を変更し、変更した周波数において、複数の所属要求を送信するというように、使用する周波毎に全ての所属要求を送信して応答を待つようにしてもよい。
【００２２】
以上、本発明の第１実施形態について説明した。
【００２３】
上述したように、本実施形態の無線ＬＡＮシステム１０によれば、複数のＳＳＩＤそのものを通信端末１８に格納するのではなく、算出規則を格納し、格納した算出規則からＳＳＩＤを生成するので、通信端末１８に格納するデータ量を小さくすることができる。さらに、新たなグループを設ける場合、ＳＳＩＤ算出部１８２が算出するＳＳＩＤ値の範囲内で、設けた新たなグループに対応する新たなＳＳＩＤをアクセスポイント１６に設定することにより、複数の通信端末１８のそれぞれに、新たなグループに対応するＳＳＩＤ値を新たに設定することなく、新たなグループに属するアクセスポイント１６との間で無線ＬＡＮに基づく通信を迅速に開始することができる。
【００２４】
次に、本発明の第２実施形態について説明する。
【００２５】
図５は、本発明の第２実施形態にかかる無線ＬＡＮシステム２０の構成を示す。無線ＬＡＮシステム２０は、ネットワーク２２、複数のアクセスポイント２６、複数の通信端末２８、サービス制御サーバ３０、およびサービス提供装置３２を備える。複数の通信端末２８−１、２８−２、および２８−３のそれぞれは、ＩＰ電話やＰＤＡ、ＰＣ等であり、無線ＬＡＮに規定されるプロトコルに基づいて、アクセスポイント２６−１、２６−２、および２６−３のいずれかを介して通信可能な端末である。
【００２６】
アクセスポイント２６−１は、無線ＬＡＮに基づく通信を行うのに十分な強度の電波が届く範囲である通信エリア２４−１を有する。同様に、アクセスポイント２６−２および２６−３は、通信エリア２４−２および２４−３をそれぞれ有する。複数のアクセスポイント２６のそれぞれは、異なる場所に設けられており、それぞれの場所において、無線ＬＡＮに基づく通信を中継するサービスを提供する。本例において、アクセスポイント２６−１、２６−２、および２６−３のそれぞれには、ＳＳＩＤの値として、１３、２１、および２６がそれぞれ割り当てられている。複数のアクセスポイント２６のそれぞれは、社内ＬＡＮ等の有線ネットワークであるネットワーク２２を介して、互いに接続されている。
【００２７】
複数のアクセスポイント２６のそれぞれは、複数の通信端末２８のいずれかから所属要求を受け付けた場合に、当該所属要求に含まれるＳＳＩＤ値が自身に設定されているＳＳＩＤ値と同一であることを条件の一つとして、当該所属要求を送信した通信端末２８の所属を許可し、自身のＳＳＩＤ値と共に、所属を許可した通信端末２８を識別する端末識別情報を、ネットワーク２２を介してサービス制御サーバ３０へ送信する。
【００２８】
サービス制御サーバ３０は、ＳＳＩＤの値毎に提供するサービスが対応付けられたテーブルを格納する。サービス制御サーバ３０は、ネットワーク２２を介して複数のアクセスポイント２６のそれぞれと接続されており、アクセスポイント２６のＳＳＩＤ値と共に、当該アクセスポイント２６が所属させる通信端末２８の端末識別情報をアクセスポイント２６から受信した場合に、テーブルを参照して、受信したＳＳＩＤ値に対応するサービスを抽出し、抽出したサービスを受信した端末識別情報に対応付けて格納する。そして、アクセスポイント２６を介して通信端末２８から通信フレームを受信した場合に、サービス制御サーバ３０は、受信した通信フレームに含まれる端末識別情報に基づいて、対応するサービスを提供するサービス提供装置３２へ当該通信フレームを転送する
サービス提供装置３２は、ネットワーク２２を介してサービス制御サーバ３０および複数のアクセスポイント２６に接続されており、特定のサーバやＱｏＳ制御を行うサーバ、外部インターネットと接続されているルータ等である。サービス提供装置３２は、サービス制御サーバ３０から転送された通信フレームを受け取り、自身が提供するサービスに基づいて、受信した通信フレームを処理し、当該通信フレームを送信した通信端末２８へ返信する。本例においてサービス提供装置３２は、１つのサービスを提供する装置として１台のみ示しているが、本発明にかかる無線ＬＡＮシステム２０が複数のサービスを提供する場合、サービス提供装置３２は、複数のサービスのそれぞれに対応して複数あってもよく、複数のサービスを提供する機能を１台のサービス提供装置３２が有していてもよい。
【００２９】
図６は、サービス制御サーバ３０の構成の一例を示すブロック図である。サービス制御サーバ３０は、提供中サービス情報格納部３００、サービス制御部３０２、およびサービス割り当てテーブル格納部３０４を備える。サービス割り当てテーブル格納部３０４は、外部インターネットへの接続の許可や、ＱｏＳ制御、機密情報が格納されているサーバへのアクセスの許可等のサービスを、ＳＳＩＤ値に対応付けて格納している。
【００３０】
サービス制御部３０２は、通信端末２８が所属しているアクセスポイント２６のＳＳＩＤ値と共に、通信端末２８の識別情報を、複数のアクセスポイント２６のいずれかを介して当該通信端末２８から受信した場合に、サービス割り当てテーブル格納部３０４を参照して、受信したＳＳＩＤ値に対応するサービスを抽出し、抽出したサービスを、アクセスポイント２６から受信した端末識別情報に対応付けて提供中サービス情報格納部３００に格納する。そして、サービス制御部３０２は、アクセスポイント２６を介して通信端末２８から通信フレームを受信した場合に、提供中サービス情報格納部３００を参照して、受信した通信フレームに含まれる端末識別情報に対応する通信端末２８に提供するサービスを、提供中サービス情報格納部３００から抽出する。そして、サービス制御部３０２は、抽出したサービスの内容に基づいて、受信した通信フレームを、当該サービスを提供するサービス提供装置３２へ転送する。
【００３１】
図７は、アクセスポイント２６の構成の一例を示すブロック図である。アクセスポイント２６は、所属制御部２６０および通信フレーム中継部２６２を備える。所属制御部２６０は、アクセスポイント２６に割り当てられたＳＳＩＤ値を記憶しており、通信端末２８から所属要求を受け付けた場合に、受け付けた所属要求に含まれるＳＳＩＤ値が、記憶しているＳＳＩＤ値と一致するか否かを判定する。そして、受け付けたＳＳＩＤ値と記憶しているＳＳＩＤ値とが一致した場合に、所属制御部２６０は、所属の許可を示す旨および無線ＬＡＮに基づく通信に必要なパラメータをＳＳＩＤ値が一致した通信端末２８に通知すると共に、ＳＳＩＤ値が一致した通信端末２８の端末識別情報を通信フレーム中継部２６２に通知する。通信フレーム中継部２６２は、無線ＬＡＮに基づいて、所属制御部２６０から通知された端末識別情報を有する通信端末２８からの通信フレームをサービス制御サーバ３０へ中継する。
【００３２】
図８は、通信端末２８の構成の一例を示すブロック図である。通信端末２８は、算出規則格納部２８０、ＳＳＩＤ算出部２８２、所属試行部２８４、および通信フレーム送受信部２８６を備える。算出規則格納部２８０は、ＳＳＩＤ値の算出規則を格納する。ＳＳＩＤ算出部２８２は、算出規則格納部２８０に格納された算出規則に基づいて、複数のＳＳＩＤ値を算出する。所属試行部２８４は、ＳＳＩＤ算出部２８２が算出したＳＳＩＤ値のそれぞれに基づいて、最寄りのアクセスポイント２６に所属要求を送信する。そして、送信した複数の所属要求のいずれかに応答して、アクセスポイント２６から所属許可および無線ＬＡＮに基づく通信に必要なパラメータを受信した場合に、受信した無線ＬＡＮのパラメータおよび所属が許可されたＳＳＩＤ値を通信フレーム送受信部２８６へ送る。通信フレーム送受信部２８６は、所属試行部２８４から受け取った無線ＬＡＮのパラメータに基づいて、アクセスポイント２６との間で無線ＬＡＮに規定されるプロトコルに基づいて通信フレームを送受信する。このとき、通信フレーム送受信部２８６は、所属が許可されたＳＳＩＤ値を、アクセスポイント２６を介してサービス制御部３０２へ送信する。
【００３３】
図９は、提供中サービス情報格納部３００に格納されるデータの構造の一例を示す。提供中サービス情報格納部３００は、提供サービス種別３００２をＩＰアドレス等の端末識別情報３０００に対応付けて格納する。提供中サービス情報格納部３００を参照することにより、サービス制御部３０２は、アクセスポイント２６を介して通信端末２８から受信した通信フレームに含まれる端末識別情報に基づいて、受信した通信フレームをいずれのサービス提供装置３２へ転送すべきかを判断することができる。
【００３４】
なお、提供中サービス情報格納部３００は、それぞれのレコードを格納した場合に、格納した時刻をそれぞれのレコードと共に格納し、予め定められた時間が経過したレコードを提供中サービス情報格納部３００から削除してもよい。これにより、通信端末２８が他のアクセスポイント２６へローミングした場合に、対応するレコードを削除することができるので、アクセスポイント２６に必要な記憶容量を削減することができる。
【００３５】
図１０は、サービス制御部３０２に格納されるデータの構造の一例を示す。サービス割り当てテーブル格納部３０４は、提供サービス種別３０４２をＳＳＩＤ３０４０に対応付けて格納する。このように、ＳＳＩＤ＝１３であるアクセスポイント２６の通信エリア２４内にある通信端末２８は、「ＱｏＳ制御を行う」というサービスを受けることができる一方で、「外部インターネットへの接続」や「経営企画部のサーバへのアクセス」というサービスを受けることができない。これにより、アクセスポイント２６の通信エリア２４ないにある通信端末２８にのみ、当該アクセスポイント２６のＳＳＩＤに対応するサービスを提供することができる。
【００３６】
図１１は、アクセスポイント２６、通信端末２８、およびサービス制御サーバ３０の動作の一例を示すシーケンス図である。まず、所属試行部２８４は、ＳＳＩＤ算出部２８２が算出したＳＳＩＤ値のそれぞれに基づいて、最寄りのアクセスポイント２６に所属要求を順次送信する（Ｓ２００）。次に、所属制御部２６０は、所属試行部２８４から順次受信した所属要求に対して、当該所属要求に含まれるＳＳＩＤ値を、自身が記憶しているＳＳＩＤ値と順次比較する。そして、受信した所属要求に含まれるＳＳＩＤ値と自身が記憶しているＳＳＩＤ値とが一致する場合、所属制御部２６０は、所属許可および無線ＬＡＮに基づく通信に必要なパラメータを通信端末２８に送信すると共に、所属許可を送信した通信端末２８の識別情報を通信フレーム中継部２６２へ通知する（Ｓ２０２）。そして、通信フレーム送受信部２８６は、所属が許可されたアクセスポイント２６のＳＳＩＤ値を、自身の端末識別情報と共に、ネットワーク２２を介してサービス制御サーバ３０へ送信する（Ｓ２０４）。
【００３７】
次に、サービス制御部３０２は、サービス割り当てテーブル格納部３０４を参照して、受信したＳＳＩＤ値に対応するサービスを抽出し、抽出したサービスを、アクセスポイント２６から受信した端末識別情報に対応付けて提供中サービス情報格納部３００に格納する（Ｓ２０６）。
【００３８】
次に、通信フレーム送受信部２８６は、所属試行部２８４が受け取った無線ＬＡＮのパラメータに基づいて、通信フレーム中継部２６２との間で無線ＬＡＮに規定されるプロトコルに基づいて通信フレームを送信する（Ｓ２０８）。通信フレーム中継部２６２は、通信フレーム送受信部２８６から受け取った通信フレームを、ネットワーク２２を介してサービス制御サーバ３０へ転送する（Ｓ２１０）。サービス制御部３０２は、受信した通信フレームから端末識別情報を抽出し（Ｓ２１２）、提供中サービス情報格納部３００を参照して、抽出した端末識別情報に対応するサービスを抽出し、対応するサービスを提供するサービス提供装置３２へ通信フレームを転送する（Ｓ２１４）。そして、通信端末２８は、アクセスポイント２６を介して、対応するサービス提供装置３２との間で、サービス提供装置３２が提供するサービスに基づく通信を行う（Ｓ２１６）。
【００３９】
なお、第１および２の実施形態において、通信フレーム送受信部２８６は、所属が許可された場合に、所属が許可されたアクセスポイント２６のＳＳＩＤ値を、自身の端末識別情報と共に、通信フレーム中継部２６２を介してサービス制御サーバ３０へ送信するが、本発明はこれに限定されない。他の例として、所属制御部２６０は、所属試行部２８４から受け取ったＳＳＩＤ値と自身が記憶しているＳＳＩＤ値とが一致した場合に、所属要求を送信した通信端末２８の端末識別情報を、自身のＳＳＩＤと共に、ネットワーク２２を介してサービス制御サーバ３０へ送信してもよい。これにより、特定のサービスの提供が許可されていないＳＳＩＤ値を有するアクセスポイント２６に所属した後に、所属したアクセスポイント２６が有するＳＳＩＤ値とは異なるＳＳＩＤ値を、サービス制御サーバ３０へ送信することにより、通信端末が、許可されていないサービスの提供を不正に受けることを防止することができる。
【００４０】
また、上述したアクセスポイント１６、通信端末１８、およびサービス制御サーバ３０が有する各機能ブロックは、ＡＳＩＣ（Application Specific Integrated Circuit）、ＦＰＧＡ（Field Programmable Gate Array）等の集積ロジックＩＣによりハード的に実行されるものでもよく、あるいは、ＤＳＰ（Digital Signal Processor）や汎用計算機によりソフトウエア的に実現されてもよい。
【００４１】
また、第１および２の実施形態では、通信端末がアクセスポイントに所属するための条件の一つとして、ＳＳＩＤを例に説明したが、本発明はこれに限定されない。
【００４２】
以上、本発明を実施の形態を用いて説明したが、本発明の技術的範囲は上記した実施の形態に記載の範囲には限定されない。また、上記した実施の形態に、多様な変更または改良を加えることが可能であることが当業者にとって明らかである。さらに、そのような変更または改良を加えた形態も本発明の技術的範囲に含まれ得ることが、特許請求の範囲の記載から明らかである。
【図面の簡単な説明】
【００４３】
【図１】本発明の第１実施形態に係る無線ＬＡＮシステム１０の構成を示す図である。
【図２】アクセスポイント１６の構成の一例を示すブロック図である。
【図３】通信端末１８の構成の一例を示すブロック図である。
【図４】アクセスポイント１６および通信端末１８の動作の一例を示すシーケンス図である。
【図５】本発明の第２実施形態に係る無線ＬＡＮシステム２０の構成を示す図である。
【図６】サービス制御サーバ３０の構成の一例を示すブロック図である。
【図７】アクセスポイント２６の構成の一例を示すブロック図である。
【図８】通信端末２８の構成の一例を示すブロック図である。
【図９】提供中サービス情報格納部３００に格納されるデータの構造の一例を示す図である。
【図１０】サービス割り当てテーブル格納部３０４に格納されるデータの構造の一例を示す図である。
【図１１】アクセスポイント２６、通信端末２８、およびサービス制御サーバ３０の動作の一例を示すシーケンス図である。
【符号の説明】
【００４４】
１０、２０・・・無線ＬＡＮシステム、１２、２２・・・ネットワーク、１４、２４・・・通信エリア、１６、２６・・・アクセスポイント、１６０、２６０・・・所属制御部、１６２、２６２・・・通信フレーム中継部、１８、２８・・・通信端末、１８０、２８０・・・算出規則格納部、１８２、２８２・・・ＳＳＩＤ算出部、１８４、２８４・・・所属試行部、１８６、２８６・・・通信フレーム送受信部、３０・・・サービス制御サーバ、３００・・・提供中サービス情報格納部、３０００・・・端末識別情報、３００２・・・提供サービス種別、３０２・・・サービス制御部、３０４・・・サービス割り当てテーブル格納部、３０４０・・・ＳＳＩＤ、３０４２・・・提供サービス種別、３２・・・サービス提供装置
【図１】
2006100970.tif 000003
【図２】
2006100970.tif 000004
【図３】
2006100970.tif 000005
【図４】
2006100970.tif 000006
【図５】
2006100970.tif 000007
【図６】
2006100970.tif 000008
【図７】
2006100970.tif 000009
【図８】
2006100970.tif 000010
【図９】
2006100970.tif 000011
【図１０】
2006100970.tif 000012
【図１１】
2006100970.tif 000013